(57)【特許請求の範囲】
【請求項１】
パンチボディを上下動自在に嵌入支持したパンチガイドに、当該パンチガイドを上下動自在に貫通した筒状のパンチスリーブを設けると共に上記パンチスリーブを上方向へ付勢するための付勢手段を設け、上記パンチスリーブに対して前記パンチボディの上部を相対的に上下動可能に嵌入して設けると共に、前記パンチスリーブの上部に回転固定自在に設けた回転調整部材に調整ねじ部材を設け、この調整ねじ部材と前記パンチボディの上部とを上下調節可能に螺合して設け、前記パンチガイドの下端部にストリッパープレートを着脱自在に装着するために、前記ストリッパープレートの外周面に形成した係合凹部に係脱自在の係止部を下端部に備えた弾性部材を、前記パンチガイドの外周面に形成した上下方向の溝の下部に備え、前記溝内に上下動自在に取付けたスライド部材に、前記弾性部材の基部側外面に当接して外方向への変形を規制自在かつ前記弾性部材の外側に形成した凹部に対応して外方向への変形を許容する変形規制部材を備えていることを特徴とする金型装置。
【請求項２】
請求項１に記載の金型装置において、回転調整部材に移動自在かつ付勢手段によって所望方向へ付勢された係止部材を設け、前記パンチスリーブの上部に周方向へ適宜間隔に設けた複数の係合凹部に対して前記係止部材を係合離脱自在に設けたことを特徴とする金型装置。
【発明の詳細な説明】
【０００１】
【発明の属する技術分野】
本発明は、例えばタレットパンチプレス等のごときパンチプレスに装着して使用される金型装置に係り、さらに詳細には、工具を用いることなしにハイト調整を容易に行うことのできる金型装置に関する。
【０００２】
【従来の技術】
本発明の先行例として、例えば特開平１０−２４４３２７号公報がある。
【０００３】
【発明が解決しようとする課題】
上記先行例においては、ストリッパースプリングを内装したスプリングカラー内にパンチヘッドを埋設した構成であって、ハイト調整時には前記スプリングカラーからパンチヘッドを突出せしめるものであり、ハイト調整の操作が厄介であると共に、構成が複雑であるという問題がある。
【０００４】
【課題を解決するための手段】
本発明は前述のごとき問題に鑑みてなされたもので、パンチボディを上下動自在に嵌入支持したパンチガイドに、当該パンチガイドを上下動自在に貫通した筒状のパンチスリーブを設けると共に上記パンチスリーブを上方向へ付勢するための付勢手段を設け、上記パンチスリーブに対して前記パンチボディの上部を相対的に上下動可能に嵌入して設けると共に、前記パンチスリーブの上部に回転固定自在に設けた回転調整部材に調整ねじ部材を設け、この調整ねじ部材と前記パンチボディの上部とを上下調節可能に螺合して設け、前記パンチガイドの下端部にストリッパープレートを着脱自在に装着するために、前記ストリッパープレートの外周面に形成した係合凹部に係脱自在の係止部を下端部に備えた弾性部材を、前記パンチガイドの外周面に形成した上下方向の溝の下部に備え、前記溝内に上下動自在に取付けたスライド部材に、前記弾性部材の基部側外面に当接して外方向への変形を規制自在かつ前記弾性部材の外側に形成した凹部に対応して外方向への変形を許容する変形規制部材を備えていることを特徴とするものである。
【０００５】
請求項２に係る発明は、請求項１に記載の金型装置において、回転調整部材に移動自在かつ付勢手段によって所望方向へ付勢された係止部材を設け、前記パンチスリーブの上部に周方向へ適宜間隔に設けた複数の係合凹部に対して前記係止部材を係合離脱自在に設けた構成である。
【０００６】
【発明の実施の形態】
図１を参照するに、本発明の実施の形態に係る金型装置１は、パンチボディ３を上下動自在に嵌入支持したパンチガイド５を備えている。上記パンチガイド５は前記パンチボディ３を上下動自在に嵌入する大きな収納孔５Ｈを下方向に間口した円筒形状をなしており、このパンチガイド５の上部には、当該パンチガイド５を上下動自在に貫通した筒状のパンチスリーブ７を備えている。
【０００７】
上記パンチスリーブ７は前記収納孔５Ｈ内の下端部に大径のフランジ部７Ｆを備え、かつ筒状部分に上下方向の長孔７Ｈを備えた構成であって、この長孔７Ｈには、パンチスリーブ７の回転を阻止すべく前記パンチガイド５に螺子９等によって固定したピン１１の先端部が係合してある。したがって、パンチスリーブ７は、パンチガイド５に対して上下動は許容されるものの相対的な回転を阻止された状態に設けられているものである。
【０００８】
なお、パンチガイド５の上部外周面の複数箇所には、当該パンチガイド５をパンチプレス（図示省略）のパンチ装着孔（図示省略）に装着したときに、上記パンチ装着孔の周囲に設けたリフタースプリング（図示省略）に支持されるピン１３が外方向へ突出して設けられている。
【０００９】
前記パンチボディ３は、本例においては通常の大径のパンチ金型の構成と同様に上部パンチボディ３Ｕと下部パンチボディ３Ｌよりなるものであって、上下のパンチボディ３Ｕ，３Ｌは、ボルトのごとき連結具１５を介して一体的に連結してある。
【００１０】
より詳細には、上部パンチボディ３Ｕは、前記パンチスリーブ７内に上下動可能に嵌入された軸部１７を備え、この軸部１７の下端部に、前記パンチスリーブ７のフランジ部７Ｆの下面に当接可能の大径フランジ１９を備えた構成である。そして、この大径フランジ１９の下部には、前記パンチガイド５に形成したキー溝２１に上下動自在に係合したガイドキー２３が複数の取付螺子２５によって一体的に取付けてある。
【００１１】
前記下部パンチボディ３Ｌは、前記大径フランジ１９とほぼ同径のパンチ本体２７の下部にパンチ刃部２９を備えた構成であって、上記パンチ本体２７の上面には、前記ガイドキー２３と係合する溝３１が形成してある。そして、前記上部パンチボディ３Ｕの大径フランジ１９の下面に、下部パンチボディ３Ｌのパンチ本体２７の上面を接合した状態において、ボルトのごとき前記連結具１５によって上下のパンチボディ３Ｕ，３Ｌが分離可能に一体的に連結されているものである。
【００１２】
上記構成より理解されるように、パンチボディ３はパンチガイド５に対して相対的な回転は阻止された構成であり、かつ下部パンチボディ３Ｌは上部パンチボディ３Ｕに対して着脱可能に設けられており、前記パンチ刃部２９が摩耗したようなときには、再研磨可能なものである。このように、パンチ刃部２９を再研磨すると、パンチ刃部２９の高さ位置が変化するので、パンチ刃部２９の高さ位置を常に一定高さ位置に調整（ハイト調整）する必要がある。そこで、本例においては工具を用いることなしにハイト調整を容易に行い得る構成としてある。
【００１３】
より詳細には、前記パンチスリーブ７の上端部外周面にはリング状の固定プレート３３が螺着固定してあり、この固定プレート３３と前記パンチガイド５の上面との間には、パンチスリーブ７を上方向へ付勢するストリッパースプリングのごとき強力な付勢手段３５が介在してある。
【００１４】
そして、前記固定プレート３３を上下から挾持して相対的に回転可能な上下の回転リング３７Ｕ，３７Ｌはボルトのごとき複数の固定具３９によって一体的に連結してある。すなわち、上下の回転リング３７Ｕ，３７Ｌはパンチスリーブ７に対する相対的な上下動は阻止されているが、相対的に回転可能であって回転調整部材を構成しているものである。
【００１５】
前記パンチスリーブ７の上端内部にはパンチヘッド３９が設けられており、このパンチヘッド３９と前記上部回転リング３７Ｕは、例えばボルト，ピンなどのごとき適宜の固定具（図示省略）によって一体的に固定してあり、パンチヘッド３９は上下の回転リング３７Ｕ，３７Ｌと一体に回転するように設けられている。したがって、パンチヘッド３９も回転調整部材を構成しているものである。
【００１６】
前記パンチヘッド３９の下部にはボルトのごとき複数の固定具４１によって調整ねじ部材４３が一体的に固定してあり、この調整ねじ部材４３と前記上部パンチボディ３Ｕの軸部１７とが上下調節可能に螺合してある。なお、本例においては、調整ねじ部材４３を雄ねじに、上記軸部１７を雌ねじに形成してあるが、逆の構成としても良いものである。
【００１７】
上記構成により、上下の回転リング３７Ｕ，３７Ｌ及びパンチヘッド３９等の回転調整部材をパンチスリーブ７に対して相対的に適宜に回転すると、調整ねじ部材４３が回転され、螺合関係にあるパンチボディ３が上下に調節されることになるものであり、前記ハイト調整を行い得ることとなるものである。
【００１８】
パンチング加工時等の振動等によってパンチヘッド３９が回転しないようにロック装置が設けられている。より詳細には、回転調整部材としての前記上部回転リング３７Ｕの上面には直径方向のガイド溝４５が形成してあり、このガイド溝４５にはスライド部材４７が径方向へ移動自在に係合してある。そして、このスライド部材４７にはピン状の係止部材４９が下方向へ突出して設けてあり、またスライド部材４７とパンチヘッド３９との間にはスプリングのごとき付勢手段５５が設けてあって、前記スライド部材４７を常に外方向へ押圧付勢している。
【００１９】
上記係止部材４９は、前記パンチヘッド３９の外周部に形成した空間部５１内に移動自在かつ前記パンチスリーブ７の上端部内周面に適宜間隔に形成した複数の係合凹部５３に係合自在に設けられているが、前記付勢手段５５の作用によってスライド部材４７が常に外方向へ付勢されているので、常態においては、係止部材４９はパンチスリーブ７に形成した係合凹部５３に係合した状態にあって、パンチヘッド３９の回転を阻止した状態にある。なお、前記上部回転リング３５Ｕの上面には円盤状のプレート５６が一体的に取付けてあって、前記ガイド溝４５からのスライド部材４７の抜け出しを防止している。
【００２０】
したがって、前述したようにパンチヘッド３９を回転するには、付勢手段５５の付勢力に抗してスライド部材４７を内方向へ移動して、係合凹部５３に係合した状態の係止部材４９をパンチヘッド３９の空間部５１へ移動し、係合凹部５３と係止部材４９との係合を解除する。
【００２１】
上述のように、係合凹部５３と係止部材４９との係合を解除した状態に保持することにより上部回転リング３７Ｕ，パンチヘッド３９をパンチスリーブ７に対して相対的に回転することができ、前述したようにハイト調整を行うことができるものである。すなわち、工具を用いることなしに容易にハイト調整の操作を行い得るものである。
【００２２】
前記パンチガイド５の下端部には、板状のワーク（図示省略）のパンチング加工時に当該ワークをダイ（図示省略）に押圧固定するためのストリッパープレート５７が着脱自在に装着されている。すなわち、図２に拡大して詳細に示すように、前記パンチガイド５の下端部にストリッパープレート５７を着脱自在に装着するために、ストリッパープレート５７の外周面に形成した係合凹部の一例としての周溝５７Ｇに係脱自在の係止部５９Ｋを先端部（下端部）に備えた弾性部材としての板ばね５９が前記パンチガイド５に形成した上下方向の溝６１の下部に取付けてある。上記板ばね５９の前記係止部５９Ｋは、周溝５７Ｇに係合すべく、内側へ突出しかつ周溝５７Ｇの形状に倣うように湾曲成形してあって外側には凹部５９Ｃが形成してある。
【００２３】
前記溝６１内には、取付ボルトのごとき取付具６３を介してスライド部材６５が上下動自在に取付けられている。このスライド部材６５の内側下部付近には、前記板ばね５９の基部側外面に当接して当該板ばね５９の外方向への変形を規制自在かつ上記板ばね５９の前記凹部５９Ｃに対応した位置に移動したときには外方向への変形を許容する変形規制部の一例としてのピン６７が取付けてある。
【００２４】
また、上記スライド部材６５の上部には係止部６５Ｋが形成してあり、この係止部６５Ｋには、前記溝６１内の上部に取付具６９によって取付けた板ばねのごとき弾性ストッパ７１に突出形成した係止部７１Ｋが係脱自在に形成してある。
【００２５】
上記構成により、図２に示すように、弾性ストッパ７１の係止部７１Ｋにスライド部材６５の係止部６５Ｋが係止された状態にあり、かつスライド部材６５に備えた変形規制部の一例としてのピン６７が弾性部材５９の基部側外面に当接した状態にあるときには、上記弾性部材５９の先端部の係止部５９Ｋが外方向（図２（Ａ）において右方向）へ変形することを規制され、上記係止部５９Ｋはストリッパープレート５７の係合凹部５７Ｇに係合した状態が保持される。
【００２６】
上述のごとき状態にあるとき、弾性ストッパ７１を親指等によって内方向へ押圧して、弾性ストッパ７１の係止部７１Ｋをスライド部材６５の係止部６５Ｋから離脱し、スライド部材６５を下降せしめると、前記ピン６７が弾性部材５９の凹部５９Ｃに対応するので、弾性部材５９の係止部５９Ｋを外方向へ弾性変形せしめることが可能になる。しかし、上記弾性部材５９の弾性により係止部５９Ｋがストリッパープレート５７の係合凹部５７Ｇに係合した状態に保持され、ストリッパープレート５７が自重等によってパンチガイド５から不用意に脱落することを防止しているものである。
【００２７】
前述のごとく、ピン６７が弾性部材５９の凹部５９Ｃに対応した位置にあるとき、ストリッパープレート５７を図３において下方向へ引っ張ることにより、弾性部材５９の弾性に抗して取り外すことができるものである。また逆の動作を行うことにより、パンチガイド５に対してストリッパープレート５７を取付けることができるものである。
【００２８】
既に理解されるように、前述のごとき構成によれば、工具を用いることなく、パンチガイド５に対してストリッパープレート５７を着脱することができることは勿論のこと、弾性部材５９の作用によって、着脱時にストリッパープレート５７が不用意に脱落することをも防止できるものである。また、弾性部材５９の係止部５９Ｋはストリッパープレート５７における係合凹部５７Ｇに倣うように湾曲形成してあるので、ストリッパープレート５７を常にパンチガイド５の下端面に押圧してガタのないように支持することができるものである。
【００２９】
さらに、変形規制部としてのピン６７が弾性部材５９の基部側外面に当接する位置及び凹部５９Ｃに対応する位置は必ずしも正確である必要はなく、要は、弾性ストッパ７１の係止部７１Ｋとスライド部材６５の係止部６５Ｋが係合した状態にあるとき、ピン６７が弾性部材５９の基部側外面に位置し、上記係合を解除してスライド部材６５を下降せしめたとき、ピン６７から弾性部材５９の凹部５９Ｃに対応すれば良いものであるから、例えばスライド部材６５の係止部６５Ｋと前記ピン６７の位置的関係等の精度はある程度ラフで良く、製造が容易であると共に安価に製造できるものである。
【００３０】
前記構成によるワーク（図示省略）の打抜き加工は次のごとく行われる。すなわち、ダイ（図示省略）上にワークを位置決めした後に、パンチプレスにおけるラム（ストライカ）によってパンチヘッド３９を打圧し金型装置１全体をリフタースプリングに抗して下降せしめると、ストリッパープレート５７がワークをダイに押圧固定し、パンチガイド５等の下降は停止する。
【００３１】
その後、さらにストライカを下降せしめると、付勢手段３５としてのストリッパースプリングの付勢力に抗してパンチヘッド３９及びパンチスリーブ７等が下降され、かつパンチボディ３が一体的に下降されて、パンチ刃部２９によってワークのパンチング加工が行われるものである。そして、ストライカが上昇復帰すると、リフタースプリング及び前記付勢手段３５の付勢力により初期の状態に復帰されるものである。
【００３２】
そして、パンチング加工によってパンチ刃部２９が摩耗し、パンチ刃部２９の再研磨が行われた後には、前述したようにパンチヘッド９等を回転することによってパンチボディ３を上下調節でき、ハイト調整を行うことができるものである。
【００３３】
【発明の効果】
以上のごとき説明より理解されるように、本発明によれば、工具を用いることなしにパンチヘッド等を回転することによってパンチボディを上下調節でき、簡単な構成でもってハイト調整を容易に行うことができるものである。すなわち前述したごとき従来の問題を解消し得るものである。
【図面の簡単な説明】
【図１】本発明の実施の形態に係る金型装置の断面説明図である。
【図２】パンチガイドに対してストリッパープレートの着脱を行う構成部の説明図である。
【図３】パンチガイドに対してストリッパープレートの着脱を行う構成部の説明図である。
【符号の説明】
１  金型装置
３  パンチボディ
３Ｕ  上部パンチボディ
３Ｌ  下部パンチボディ
５  パンチガイド
７  パンチスリーブ
１５  連結具
１７  軸部
１９  大径フランジ
２７  パンチ本体
２９  パンチ刃部
３３  固定プレート
３５，５５  付勢手段
３７  Ｕ，Ｌ回転リング（回転調整部材）
３９  パンチヘッド
４３  調整ねじ部材
４７  スライド部材
４９  係止部材
５１  空間部
５３  係合凹部
５７  ストリッパープレート
【図１】
0004592135.tif 000002
【図２】
0004592135.tif 000003
【図３】
0004592135.tif 000004